【手続補正書】
【提出日】平成30年9月6日(2018.9.6)
【手続補正１】
【補正対象書類名】特許請求の範囲
【補正対象項目名】全文
【補正方法】変更
【補正の内容】
【特許請求の範囲】
【請求項１】
基板上に層を製作する方法であって、前記層は、製品の一部を形成するためのものであり、前記方法は、
前記基板を受容することと、
プリンタを使用して、前記基板の所定の堆積領域内にプリントヘッドのノズルからの液体の液滴を堆積させることと、
前記所定の堆積領域内に一度堆積された前記液体を処理して、前記層を形成するように前記液体を乾燥または硬化させることと
を含み、
前記方法は、
前記基板の誤整合を検出することであって、前記誤整合は、前記プリントヘッドに対する前記基板のスキャンの間、前記基板の意図された配向に対するものである、ことと、
前記液滴を堆積させるように前記プリンタの使用を統制するためのプリンタ制御データを生成することであって、前記プリンタ制御データは、前記検出された誤整合に依存して選択された前記プリントヘッドのノズルのうちの少なくとも１つのためのノズル発射命令を含み、前記プリンタ制御データは、前記誤整合にもかかわらず、所定の体積公差範囲および前記所定の堆積領域の両方の内にある前記液体に対して予期される総体積を生成するための前記少なくとも１つのノズルを含むノズル選択を表す、ことと、
前記誤整合にもかかわらず、前記プリンタ制御データに従って印刷することと
をさらに含む、方法。
【請求項２】
誤整合を検出することは、前記スキャンの間、前記プリントヘッドに対する前記基板の輸送の方向に対する前記所定の堆積領域の回転誤差を検出することを含む、請求項１に記載の方法。
【請求項３】
前記基板は、光学機構をもち、誤整合を検出することは、イメージ検出システムを使用して前記光学機構を撮像することを含み、前記プリンタ制御データを生成することは、（ａ）非一過性の記憶装置から、前記プリンタ制御データによって表される１つ以上の事前計画されたスキャン経路の所定のセットと、デフォルトノズル発射命令とを検索することと、（ｂ）前記基板が前記プリントヘッドに対して輸送されるにつれて、前記回転誤差にもかかわらず、前記セット内の事前計画されたスキャン経路を使用して前記所定の堆積領域内に印刷するように、前記事前計画されたスキャン経路に関連して使用される前記プリントヘッドのノズルのうちの少なくとも２つのためのデフォルトノズル発射命令を変更することとを含む、請求項２に記載の方法。
【請求項４】
前記デフォルトノズル発射命令を変更することは、（ａ）非一過性の記憶装置から、所与のノズルに特有の予期される液滴体積を検索することであって、前記予期される液滴体積は、較正動作の間、前記所与のノズルによって生成される少なくとも１つの液滴の実験的測定を表す、ことと、（ｂ）前記予期される液滴体積に従う液滴の堆積が、前記所定の堆積領域内の前記堆積された液体を前記所定の体積公差範囲の外側に収まるようにするかどうかを判定することと、（ｃ）前記予期される液滴体積を含む前記堆積された液体が、前記所定の堆積領域内の前記堆積された液体を前記所定の体積公差範囲の外側に収まるようにしない場合、前記所与のノズルのための少なくとも１つの液滴発射命令を含むように前記プリンタ制御データを生成することとを含む、請求項３に記載の方法。
【請求項５】
前記デフォルトノズル発射命令を変更することは、（ａ）非一過性の記憶装置から、所与のノズルに特有の予期される液滴降着位置を検索することであって、前記予期される液滴降着位置は、較正動作の間、前記所与のノズルによって生成される少なくとも１つの液滴の実験的測定を表す、ことと、（ｂ）前記予期される液滴降着位置に従う液滴の堆積が、前記所定の堆積領域内の前記堆積された液体を前記所定の体積公差範囲内に収まるようにするかどうかを判定することと、（ｃ）前記予期される液滴降着位置を含む前記堆積された液体が、前記所定の堆積領域内の前記堆積された液体を前記所定の体積公差範囲内に収まるようにする場合、前記所与のノズルのための少なくとも１つの液滴発射命令を含むように前記プリンタ制御データを生成することとを含む、請求項３に記載の方法。
【請求項６】
前記プリンタ制御データを生成することは、（ａ）非一過性の記憶装置から、所与のノズルに特有の予期される液滴体積を検索することであって、前記予期される液滴体積は、較正動作の間、前記所与のノズルによって生成される少なくとも１つの液滴の実験的測定を表す、ことと、（ｂ）前記予期される液滴体積に従う液滴の堆積が、前記所定の堆積領域内の前記堆積された液体を前記所定の体積公差範囲の外側に収まるようにするかどうかを判定することと、（ｃ）前記所与のノズルを使用することであって、その結果、前記予期される液滴体積を含む前記堆積された液体が、前記堆積された液体を前記所定の体積公差範囲の外側に収まるようにしない場合、前記プリンタ制御データは、前記所与のノズルのための少なくとも１つの液滴発射命令を含む、こととを含む、請求項１に記載の方法。
【請求項７】
前記プリンタ制御データを生成することは、（ａ）非一過性の記憶装置から、所与のノズルに特有の予期される液滴体積を検索することであって、前記予期される液滴体積は、較正動作の間、前記所与のノズルによって生成される少なくとも１つの液滴の実験的測定を表す、ことと、（ｂ）前記予期される液滴体積に従う液滴の堆積が、前記所定の堆積領域内の前記堆積された液体を前記所定の体積公差範囲の外側に収まるようにするかどうかを判定することと、（ｃ）前記所与のノズルを使用することであって、その結果、前記予期される液滴体積を含む前記堆積された液体が、前記堆積された液体を前記所定の体積公差範囲の外側に収まるようにしない場合、前記プリンタ制御データは、前記所与のノズルのための少なくとも１つの液滴発射命令を含む、こととを含む、請求項１に記載の方法。
【請求項８】
前記液体は、有機材料であり、処理することは、印刷することの後に、前記所定の堆積領域内の前記液体を紫外線光に暴露し、それによって前記有機材料を硬化させることを含む、請求項１に記載の方法。
【請求項９】
前記誤整合を検出することは、前記スキャンの間、前記プリンタに対する前記基板の輸送の方向に直角の次元において、意図された位置に対して前記所定の堆積領域の横方向オフセットを検出することを含む、請求項１に記載の方法。
【請求項１０】
前記プリンタ制御データを生成することは、非一過性の記憶装置から、１つ以上の事前計画されたスキャン経路のセットを検索することを含み、前記プリンタ制御データを生成することは、前記基板が前記プリンタに対して運搬されるにつれて、前記横方向オフセットにもかかわらず、前記所定の堆積領域内に印刷するように、前記横方向オフセットに依存して前記１つ以上の事前計画されたスキャン経路のセット内の少なくとも１つのスキャン経路を変更することを含む、請求項９に記載の方法。
【請求項１１】
前記プリンタ制御データを生成することは、非一過性の記憶装置から１つ以上の事前計画されたスキャン経路のセットを、および前記プリントヘッドの所与のノズルのための所定のノズル制御データを検索することを含み、
前記所定のノズル制御データは、前記所与のノズルが、前記セット内の前記事前計画されたスキャン経路のうちの１つに関連してｘ回発射されるようなものであり、ｘは、０より大きく、または０に等しく、
前記プリンタ制御データを生成することは、前記誤整合に依存してｘを増加または減少させることのうちの少なくとも一方を行うように前記所定のノズル制御データを調節することにより、前記所与のノズルが前記事前計画されたスキャン経路のうちの１つに関連して発射される回数を変更し、かつ調節されたデータを生成することを含み、
印刷することは、前記調節されたデータに従って印刷することを含む、請求項１に記載の方法。
【請求項１２】
基板のセットのうちの各基板上に層を製作する方法であって、前記層のそれぞれは、それぞれの製品の一部を形成するためのものであり、前記方法は、前記基板のそれぞれに対して、
前記基板を受容することと、
プリンタを使用して、前記基板の所定の堆積領域内にプリントヘッドのノズルからの液体の液滴を堆積させることと、
前記所定の堆積領域内に一度堆積された前記液体を処理して、前記層を形成するように前記液体を乾燥または硬化させることと
を含み、
前記方法は、
個別に各基板の誤整合を検出することであって、前記誤整合は、前記プリントヘッドに対する前記基板のスキャンの間、前記基板の意図された配向に対するものである、ことと、
前記液滴を堆積させるように前記プリンタの使用を統制するための各基板プリンタ制御データを生成することであって、前記プリンタ制御データは、前記基板の前記検出された誤整合に依存して選択された前記プリントヘッドのノズルのうちの少なくとも１つのためのノズル発射命令を含み、前記プリンタ制御データは、前記基板の誤整合にもかかわらず、前記基板の所定の体積公差範囲および前記所定の堆積領域の両方の内にある前記液体に対して予期される総体積を生成するための前記少なくとも１つのノズルを含むノズル選択を表す、ことと、
前記基板の誤整合にもかかわらず、対応するプリンタ制御データに従って各基板上に印刷することと
をさらに含む、方法。
【請求項１３】
誤整合を検出することは、前記スキャンの間、前記プリントヘッドに対する前記基板の輸送の方向に対する前記所定の堆積領域の回転誤差を検出することを含む、請求項１２に記載の方法。
【請求項１４】
各基板は、光学機構をもち、誤整合を検出することは、イメージ検出システムを使用して各基板の前記光学機構を撮像することを含み、各基板のための前記プリンタ制御データを生成することは、（ａ）非一過性の記憶装置から、前記プリンタ制御データによって表される１つ以上の事前計画されたスキャン経路の所定のセットと、デフォルトノズル発射命令とを検索することと、（ｂ）前記基板が前記プリントヘッドに対して輸送されるにつれて、前記基板の回転誤差にもかかわらず、前記セット内の事前計画されたスキャン経路を使用して前記所定の堆積領域内に印刷するように、前記事前計画されたスキャン経路に関連して使用される前記プリントヘッドのノズルのうちの少なくとも２つのためのデフォルトノズル発射命令を変更することとを含む、請求項１３に記載の方法。
【請求項１５】
前記デフォルトノズル発射命令を変更することは、（ａ）非一過性の記憶装置から、所与のノズルに特有の予期される液滴体積を検索することであって、前記予期される液滴体積は、較正動作の間、前記所与のノズルによって生成される少なくとも１つの液滴の実験的測定を表す、ことと、（ｂ）もしあれば、前記基板の誤整合を所与として、前記予期される液滴体積に従う液滴の堆積が、前記所定の堆積領域内の前記堆積された液体を前記所定の体積公差範囲の外側に収まるようにするかどうかを判定することと、（ｃ）前記予期される液滴体積を含む前記堆積された液体が、前記所定の堆積領域内の前記堆積された液体を前記所定の体積公差範囲の外側に収まるようにしない場合、前記所与のノズルのための少なくとも１つの液滴発射命令を含むように前記プリンタ制御データを生成することとを含む、請求項１４に記載の方法。
【請求項１６】
前記デフォルトノズル発射命令を変更することは、（ａ）非一過性の記憶装置から、所与のノズルに特有の予期される液滴降着位置を検索することであって、前記予期される液滴降着位置は、較正動作の間、前記所与のノズルによって生成される少なくとも１つの液滴の実験的測定を表す、ことと、（ｂ）もしあれば、前記基板の誤整合を所与として、前記予期される液滴降着位置に従う液滴の堆積が、前記所定の堆積領域内の前記堆積された液体を前記所定の体積公差範囲内に収まるようにするかどうかを判定することと、（ｃ）前記予期される液滴降着位置を含む前記堆積された液体が、前記所定の堆積領域内の前記堆積された液体を前記所定の体積公差範囲内に収まるようにする場合、前記所与のノズルのための少なくとも１つの液滴発射命令を含むように前記プリンタ制御データを生成することとを含む、請求項１４に記載の方法。
【請求項１７】
前記プリンタ制御データを生成することは、（ａ）非一過性の記憶装置から、所与のノズルに特有の予期される液滴体積を検索することであって、前記予期される液滴体積は、較正動作の間、前記所与のノズルによって生成される少なくとも１つの液滴の実験的測定を表す、ことと、（ｂ）もしあれば、前記基板の誤整合を所与として、前記予期される液滴体積に従う液滴の堆積が、前記所定の堆積領域内の前記堆積された液体を前記所定の体積公差範囲の外側に収まるようにするかどうかを判定することと、（ｃ）前記所与のノズルを使用することであって、その結果、前記予期される液滴体積を含む前記堆積された液体が、前記堆積された液体を前記所定の体積公差範囲の外側に収まるようにしない場合、前記プリンタ制御データは、前記所与のノズルのための少なくとも１つの液滴発射命令を含む、こととを含む、請求項１２に記載の方法。
【請求項１８】
前記プリンタ制御データを生成することは、（ａ）非一過性の記憶装置から、所与のノズルに特有の予期される液滴体積を検索することであって、前記予期される液滴体積は、較正動作の間、前記所与のノズルによって生成される少なくとも１つの液滴の実験的測定を表す、ことと、（ｂ）もしあれば、前記基板の誤整合を所与として、前記予期される液滴体積に従う液滴の堆積が、前記所定の堆積領域内の前記堆積された液体を前記所定の体積公差範囲の外側に収まるようにするかどうかを判定することと、（ｃ）前記所与のノズルを使用することであって、その結果、前記予期される液滴体積を含む前記堆積された液体が、前記堆積された液体を前記所定の体積公差範囲の外側に収まるようにしない場合、前記プリンタ制御データは、前記所与のノズルのための少なくとも１つの液滴発射命令を含む、こととを含む、請求項１２に記載の方法。
【請求項１９】
前記液体は、有機材料であり、処理することは、印刷することの後に、前記所定の堆積領域内の前記液体を紫外線光に暴露し、それによって前記有機材料を硬化させることを含む、請求項１２に記載の方法。
【請求項２０】
前記誤整合を検出することは、前記スキャンの間、前記プリンタに対する前記基板の輸送の方向に直角の次元において、意図された位置に対して各基板のための前記所定の堆積領域の横方向オフセットを検出することを含む、請求項１２に記載の方法。
【請求項２１】
前記プリンタ制御データを生成することは、非一過性の記憶装置から、１つ以上の事前計画されたスキャン経路のセットを検索することを含み、前記プリンタ制御データを生成することは、前記基板が前記プリンタに対して運搬されるにつれて、前記横方向オフセットにもかかわらず、前記所定の堆積領域内に印刷するように、もしあれば、前記基板に対して検出された前記横方向オフセットに依存して前記１つ以上の事前計画されたスキャン経路のセット内の少なくとも１つのスキャン経路を変更することを含む、請求項２０に記載の方法。
【請求項２２】
前記プリンタ制御データを生成することは、非一過性の記憶装置から１つ以上の事前計画されたスキャン経路のセットを、および前記プリントヘッドの所与のノズルのための所定のノズル制御データを検索することを含み、
前記所定のノズル制御データは、前記所与のノズルが、前記セット内の前記事前計画されたスキャン経路のうちの１つに関連してｘ回発射されるようなものであり、ｘは、０より大きく、または０に等しく、
前記プリンタ制御データを生成することは、もしあれば、前記基板の誤整合に依存してｘを増加または減少させることのうちの少なくとも一方を行うように前記所定のノズル制御データを調節することにより、前記所与のノズルが前記事前計画されたスキャン経路のうちの１つに関連して発射される回数を変更し、かつ調節されたデータを生成することを含み、
印刷することは、前記調節されたデータに従って前記基板上に印刷することを含む、請求項１２に記載の方法。
【請求項２３】
基板上に層を製作する方法であって、前記層は、製品の一部を形成するためのものであり、前記方法は、
前記基板を受容することと、
プリンタを使用して、前記基板の所定の堆積領域内にプリントヘッドのノズルからの液体の液滴を堆積させることと、
前記所定の堆積領域内に一度堆積された前記液体を処理して、前記層を形成するように前記液体を乾燥または硬化させることと
を含み、
前記方法は、
基板上の１つ以上の基準を光学的に撮像し、プロセッサベースのイメージ処理システムを使用して前記基板の誤整合を検出することであって、前記誤整合は、前記プリントヘッドに対する前記基板のスキャンの間、前記基板の意図された配向に対するものである、ことと、
少なくとも１つのプロセッサを使用して、前記液滴を堆積させるように前記プリンタの使用を統制するためのプリンタ制御データを生成することであって、前記プリンタ制御データは、前記検出された誤整合に依存して選択された前記プリントヘッドのノズルのうちの少なくとも１つのためのノズル発射命令を含み、前記プリンタ制御データは、前記誤整合にもかかわらず、所定の体積公差範囲および前記所定の堆積領域の両方の内にある前記液体に対して予期される総体積を生成するための前記少なくとも１つのノズルを含むノズル選択を表す、ことと、
前記誤整合にもかかわらず、前記プリンタ制御データに従って印刷することと
をさらに含み、
前記製品は、電気光学要素のアレイを有するデバイスであり、前記所定の堆積領域は、前記電気光学デバイスの個々の電気光学要素と関連付けられたウェルを備え、生成および印刷することは、前記アレイ内の前記電気光学要素のそれぞれに対して行われる、方法。